(57)【特許請求の範囲】
【請求項１】
遊技機の所要箇所に取付けられる箱状部材と、モータが配設された駆動基盤およびモータで回転駆動される図柄ドラムを備えて前記箱状部材に収容される図柄表示ユニットと、前記箱状部材の上面に対応する上板部および前記箱状部材の後面に対応する後板部を有し、箱状部材の上面に上板部を、また箱状部材の後面に後板部を対向的に当接させることで箱状部材に着脱可能に被着される板枠状の金属枠部材とを備える遊技機用のドラム式図柄表示装置において、
前記箱状部材の上面における前端縁側に形成した第１係合部と、
前記金属枠部材の上板部に形成され、前記箱状部材の後面に前記後板部を当接させた際に前記第１係合部と係脱可能に係合して、該後板部が箱状部材の後面から後方へ離間移動するのを規制し、前記上板部が箱状部材の上面から上方へ離間することで第１係合部との係合が解除可能な第１規制部と、
前記箱状部材における左右の両側面に形成した第２係合部と、
前記金属枠部材における上板部の左右の両側端縁に形成され、前記箱状部材の後面に前記後板部を当接させた際に前記第２係合部と係脱可能に係合して、前記上板部が箱状部材の上面から上方へ離間移動するのを規制する第２規制部と、
前記金属枠部材の上板部に着脱自在に載置され、前記図柄ドラムの回転および停止を制御する表示制御装置と、
前記金属枠部材の上板部における前側面部の左右方向の略中央位置に、上方に向けて屈曲するよう形成され、前記表示制御装置を位置決めおよび支持する把持部とを備え、
前記把持部を上方へ引っ張ることで、前記第１係合部と第１規制部との係合状態を解除し得るよう構成した
ことを特徴とする遊技機用のドラム式図柄表示装置。
【請求項２】
前記把持部の上端は、前記上板部に載置された前記表示制御装置の上面より下方に位置している請求項１記載の遊技機用のドラム式図柄表示装置。
【請求項３】
前記表示制御装置は、前端面に形成された突出部を、前記把持部に形成された開口部に嵌合することで位置決めされる請求項１または２記載の遊技機用のドラム式図柄表示装置。
【請求項４】
前記箱状部材は、前記図柄表示ユニットを収容セットする収容箱体と、この収容箱体の前側に配設されて、前記図柄表示ユニットを透視保護し得る透視表示体とから構成されると共に、該透視表示体に前記第１および第２係合部が形成され、該第１および第２係合部に、前記収容箱体に対応して後側から取付けた前記金属枠部材の前記第１および第２規制部を係合することで、該収容箱体を金属枠部材と透視表示体とで挟持するようにした請求項１〜３の何れか一項に記載の遊技機用のドラム式図柄表示装置。
【請求項５】
前記第１係合部は、前記透視表示体における左右方向に所要間隔離間し、該透視表示体の外方に向けて突出する一対の係合爪部で構成され、前記第１規制部は、前記上板部の前側端縁から前方に突出する第１支持部と、該第１支持部の前端部から左右方向に延出する第１係止片とから形成され、前記係合爪部の前端に第１係止片が係合するよう構成した請求項４記載の遊技機用のドラム式図柄表示装置。
【請求項６】
前記第２係合部は、前記透視表示体における左右の側面に突設され、前記第２規制部は、前記上板部の側縁から該第２係合部を形成した前記側面と平行に延出する第２支持部と、該第２支持部の端部から前方に延出する第２係止片とから形成され、前記第２係合部の下端に第２係止片が係合するよう構成した請求項４または５記載の遊技機用のドラム式図柄表示装置。
【請求項７】
箱状部材と、モータが配設された駆動基盤およびモータで回転駆動される図柄ドラムを備えて前記箱状部材に収容される図柄表示ユニットと、前記箱状部材に着脱可能に被着される板枠状の金属枠部材とを備え、始動入賞具が配設された遊技盤の該始動入賞具の直上方に配置される遊技機用のドラム式図柄表示装置において、
前記箱状部材は、前方に向かって開口して前記図柄表示ユニットを収容セットする収容箱体と、この収容箱体の前側に配設されて、前記図柄表示ユニットを透視保護し得る透視表示体とから構成され、
前記金属枠部材は、前記収容箱体の上壁部に対応する上板部と、収容箱体の後壁部に対応する後板部と、収容箱体の下壁部に対応する下板部とから該収容箱体の後側を囲繞する略コ字状に形成され、
前記透視表示体の上端面部に、左右に離間して第１係合部が夫々形成され、
前記金属枠部材の上板部に、前記収容箱体の後壁部に前記後板部を当接させた際に前記各第１係合部と係脱可能に係合して、該後板部が後壁部から後方へ離間移動するのを規制すると共に、前記上板部が透視表示体の上端面部から上方へ離間することで第１係合部との係合が解除可能な第１規制部が左右に離間して夫々形成され、
前記透視表示体の左右の両側面部における上部位置に第２係合部が夫々形成され、
前記金属枠部材の上板部における左右両側端縁に、前記収容箱体の後壁部に前記後板部を当接させた際に前記各第２係合部と係脱可能に係合して、前記上板部が収容箱体の上壁部から上方へ離間移動するのを規制する第２規制部が夫々形成され、
前記透視表示体の下端面部にボスが形成され、
前記金属枠部材の下板部に、前記収容箱体の後壁部に前記後板部を当接させた際に前記ボスに当接すると共に該ボスにネジで螺着される当接片が形成され、
前記金属枠部材の上板部に、前記図柄ドラムの回転および停止を制御する表示制御装置が着脱自在に載置され、
前記金属枠部材の上板部における左右に離間する前記第１規制部の間に臨む前側面部に、前記表示制御装置を位置決めおよび支持する把持部が上方に向けて屈曲するよう形成され、
前記把持部を上方へ引っ張ることで、前記第１係合部と第１規制部との係合状態を解除し得るよう構成した
ことを特徴とする遊技機用のドラム式図柄表示装置。
【発明の詳細な説明】
【０００１】
【発明の属する技術分野】
この発明は、遊技機用のドラム式図柄表示装置に関し、更に詳細には、遊技機の所要部位に取付けられる箱状部材に配設され、該箱状部材の変形や損傷等を防止すると共に、箱状部材の内部で生ずるノイズの外部への漏洩を遮断する金属枠部材を、当該箱状部材に対して着脱可能に取付けた遊技機用のドラム式図柄表示装置に関するものである。
【０００２】
【従来の技術】
遊技機の代表例であるパチンコ機には、その箱状部材として遊技中に発生する始動および停止を含む変動制御条件に基づいて図柄組合わせゲームを展開して特別遊技状態に係る権利とされる組合わせ入賞条件を成立表示することのできるドラム式やベルト式と称される図柄可変表示装置が配設されているものがある。例えば、ドラム式図柄表示装置の基本的な形態としては、図柄表示体として合成樹脂成形された平プーリ形の図柄ドラム (ドラムの素地である回転体の外周に色彩区分された、例えば数字、アルファベット文字、その他の図形やマーク等の各種多様な識別用の図柄を配置したもの)と、該図柄ドラムの回転駆動手段(一般にステッピングモータ)と、停止表示される各図柄用の位置決め検出手段および照明手段等を含めて１基毎に図柄表示ユニット化されている。そして、この図柄表示ユニットが、１つのドラムケース内に複数基(通常では左列、中列、右列の３基)を組単位として並列セットされる。
【０００３】
このようなドラム式図柄表示装置は、遊技盤における前面の中央に組付けた大型装飾部品に開口形成された透視窓状の可視表示部分に対し、前記各図柄表示ユニットの各図柄ドラムを臨ませた状態で遊技盤の裏面に組付けて固定される。なお、前記ドラムケースの前側には、前記図柄ドラムの図柄を前側から透視し得る透明樹脂製の透視表示体が配設されている。そして、パチンコゲーム中に発生した始動信号入力条件により、例えばドラムケースの上方に配設されている表示制御装置から発生される制御出力に基づいて各図柄表示ユニットの図柄ドラムが設定時間条件で回転・停止し、各図柄を入賞ライン上に透視表示する。
【０００４】
前記ドラム式図柄表示装置における各図柄表示ユニットでは、前記図柄ドラムを回転させる回転駆動手段の駆動時に該回転駆動手段からノイズが発生することがあり、このノイズが前記表示制御基板の電子部品(ＣＰＵやＩＣ等)に悪影響を及ぼして該制御基板の誤作動を招来する畏れがある。そこで、従来より前記ドラムケースの上面、下面および後面を囲繞する枠状の金属枠部材を配設して、前記回転駆動手段で発生するノイズのドラムケース外部への漏洩を抑制することで前記表示制御基板の誤作動等を防止すると共に、ドラムケース全体の構造的強度を向上させて、該ドラムケースの変形や破損を防止するよう構成されている。なお、前記金属枠部材における上板および下板の前側端縁には、外側に向けて折り曲げられたフランジ部が形成され、この金属枠部材を前記ドラムケースの後側に装着したもとで透視表示体をドラムケースの前側に配設した際に、該透視表示体の後面に前記フランジ部が当接するよう構成されている。そして、前記金属枠部材は、前記フランジ部を透視表示体に対して複数箇所でネジ止めすることで取付固定されるようになっている。
【０００５】
【発明が解決しようとする課題】
しかしながら、前記金属枠部材と透視表示体とを複数箇所でネジ止め固定するため、該金属枠部材の取付けおよび取外しに際して、非効率的かつ面倒で時間がかかると共に、使用部品点数が多くなってコストが嵩む欠点がある。また、多数の小さなネジを取り扱うため、取付け・取外しの時にネジを紛失する畏れもある。このため、資源の有効利用や廃棄物の減少の観点からも、前記金属枠部材をネジ止め固定することなく簡単な作業で強固に固定し得る取付構造が強く求められている。
【０００６】
【発明の目的】
本発明は、前述した従来の技術に内在している前記課題に鑑み、これを好適に解決するべく提案されたものであって、遊技機の所要位置に取付けられる箱状部材に金属枠部材を取付ける際のネジ止め箇所を減少させると共に、簡単な作業で強固に固定し得る遊技機用のドラム式図柄表示装置を提供することを目的とする。
【０００７】
【課題を解決するための手段】
前記課題を克服し、所期の目的を達成するため、請求項１の発明に係る遊技機用のドラム式図柄表示装置は、
遊技機の所要箇所に取付けられる箱状部材(20)と、モータが配設された駆動基盤(38)およびモータで回転駆動される図柄ドラム(37a)を備えて前記箱状部材(20)に収容される図柄表示ユニット(37)と、前記箱状部材(20)の上面(22a,31a,35a)に対応する上板部(41a)および前記箱状部材(20)の後面(31b)に対応する後板部(41b)を有し、箱状部材(20)の上面(22a,31a,35a)に上板部(41a)を、また箱状部材(20)の後面(31b)に後板部(41b)を対向的に当接させることで箱状部材(20)に着脱可能に被着される板枠状の金属枠部材(41)とを備える遊技機用のドラム式図柄表示装置において、
前記箱状部材(20)の上面(22a,31a,35a)における前端縁側に形成した第１係合部(24)と、
前記金属枠部材(41)の上板部(41a)に形成され、前記箱状部材(20)の後面(31b)に前記後板部(41b)を当接させた際に前記第１係合部(24)と係脱可能に係合して、該後板部(41b)が箱状部材(20)の後面(31b)から後方へ離間移動するのを規制し、前記上板部(41a)が箱状部材(20)の上面(22a,31a,35a)から上方へ離間することで第１係合部(24)との係合が解除可能な第１規制部(44)と、
前記箱状部材(20)における左右の両側面(22b,35b)に形成した第２係合部(26a,26b)と、
前記金属枠部材(41)における上板部(41a)の左右の両側端縁に形成され、前記箱状部材(20)の後面(31b)に前記後板部(41b)を当接させた際に前記第２係合部(26a,26b)と係脱可能に係合して、前記上板部(41b)が箱状部材(20)の上面(22a,31a,35a)から上方へ離間移動するのを規制する第２規制部(46)と、
前記金属枠部材(41)の上板部(41a)に着脱自在に載置され、前記図柄ドラム(37a)の回転および停止を制御する表示制御装置(S)と、
前記金属枠部材(41)の上板部(41a)における前側面部の左右方向の略中央位置に、上方に向けて屈曲するよう形成され、前記表示制御装置(S)を位置決めおよび支持する把持部(49)とを備え、
前記把持部(49)を上方へ引っ張ることで、前記第１係合部(24)と第１規制部(44)との係合状態を解除し得るよう構成したことを特徴とする。
【０００８】
請求項２の発明は、前記把持部(49)の上端は、前記上板部(41a)に載置された前記表示制御装置(S)の上面より下方に位置していることを要旨とする。
【０００９】
請求項３の発明は、前記表示制御装置(S)は、前端面に形成された突出部(54a)を、前記把持部(49)に形成された開口部(49a)に嵌合することで位置決めされることを要旨とする。
【００１０】
請求項４の発明は、前記箱状部材(20)は、前記図柄表示ユニット(37)を収容セットする収容箱体(30)と、この収容箱体(30)の前側に配設されて、前記図柄表示ユニット(37)を透視保護し得る透視表示体(22)とから構成されると共に、該透視表示体(22)に前記第１および第２係合部(24,26a)が形成され、該第１および第２係合部(24,26a)に、前記収容箱体(30)に対応して後側から取付けた前記金属枠部材(41)の前記第１および第２規制部(44,46)を係合することで、該収容箱体(30)を金属枠部材(41)と透視表示体(22)とで挟持するようにしたことを要旨とする。
【００１１】
請求項５の発明は、前記第１係合部(24)は、前記透視表示体(22)における左右方向に所要間隔離間し、該透視表示体(22)の外方に向けて突出する一対の係合爪部(24a,24a)で構成され、前記第１規制部(44)は、前記上板部(41a)の前側端縁から前方に突出する第１支持部(44a)と、該第１支持部(44a)の前端部から左右方向に延出する第１係止片(44b,44b)とから形成され、前記係合爪部(24a,24a)の前端に第１係止片(44b,44b)が係合するよう構成したことを要旨とする。
【００１２】
請求項６の発明は、前記第２係合部(24)は、前記透視表示体(22)における左右の側面(22b)に突設され、前記第２規制部(46)は、前記上板部(41a)の側縁から該第２係合部(26a)を形成した前記側面(22b)と平行に延出する第２支持部(46a)と、該第２支持部(46a)の端部から前方に延出する第２係止片(46b)とから形成され、前記第２係合部(26a)の下端に第２係止片(46b)が係合するよう構成したことを要旨とする。
前記課題を克服し、所期の目的を達成するため、請求項７の発明に係る遊技機用のドラム式図柄表示装置は、
箱状部材(20)と、モータが配設された駆動基盤(38)およびモータで回転駆動される図柄ドラム(37a)を備えて前記箱状部材(20)に収容される図柄表示ユニット(37)と、前記箱状部材(20)に着脱可能に被着される板枠状の金属枠部材(41)とを備え、始動入賞具(11)が配設された遊技盤(J)の該始動入賞具(11)の直上方に配置される遊技機用のドラム式図柄表示装置において、
前記箱状部材(20)は、前方に向かって開口して前記図柄表示ユニット(37)を収容セットする収容箱体(30)と、この収容箱体(30)の前側に配設されて、前記図柄表示ユニット(37)を透視保護し得る透視表示体(22)とから構成され、
前記金属枠部材(41)は、前記収容箱体(30)の上壁部(31a,35a)に対応する上板部(41a)と、収容箱体(30)の後壁部(31b)に対応する後板部(41b)と、収容箱体(30)の下壁部(31d,35c)に対応する下板部(41c)とから該収容箱体(30)の後側を囲繞する略コ字状に形成され、
前記透視表示体(22)の上端面部(22a)に、左右に離間して第１係合部(24)が夫々形成され、
前記金属枠部材(41)の上板部(41a)に、前記収容箱体(30)の後壁部(31b)に前記後板部(41b)を当接させた際に前記各第１係合部(24)と係脱可能に係合して、該後板部(41b)が後壁部(31b)から後方へ離間移動するのを規制すると共に、前記上板部(41a)が透視表示体(22)の上端面部(22a)から上方へ離間することで第１係合部(24)との係合が解除可能な第１規制部(44)が左右に離間して夫々形成され、
前記透視表示体(22)の左右の両側面部(22b)における上部位置に第２係合部(26a)が夫々形成され、
前記金属枠部材(41)の上板部(41a)における左右両側端縁に、前記収容箱体(30)の後壁部(31b)に前記後板部(41b)を当接させた際に前記各第２係合部(26a)と係脱可能に係合して、前記上板部(41a)が収容箱体(30)の上壁部(31a,35a)から上方へ離間移動するのを規制する第２規制部(46)が夫々形成され、
前記透視表示体(22)の下端面部にボス(22d)が形成され、
前記金属枠部材(41)の下板部(41c)に、前記収容箱体(30)の後壁部(31b)に前記後板部(41b)を当接させた際に前記ボス(22d)に当接すると共に該ボス(22d)にネジで螺着される当接片(42)が形成され、
前記金属枠部材(41)の上板部(41a)に、前記図柄ドラム(37a)の回転および停止を制御する表示制御装置(S)が着脱自在に載置され、
前記金属枠部材(41)の上板部(41a)における左右に離間する前記第１規制部(44,44)の間に臨む前側面部に、前記表示制御装置(S)を位置決めおよび支持する把持部(49)が上方に向けて屈曲するよう形成され、
前記把持部(49)を上方へ引っ張ることで、前記第１係合部(24)と第１規制部(44)との係合状態を解除し得るよう構成したことを特徴とする。
【００１３】
【作用】
本発明は、箱状部材に形成した第１係合部と金属枠部材に形成した第１規制部とを係合させることで、金属枠部材の後板部が箱状部材の後面から離間移動するのを規制する。また、該箱状部材に形成した第２係合部と金属枠部材に形成した第２規制部とを係合させることで、金属枠部材の上板部が箱状部材の上面から離間移動するのを規制する。すなわち、第１,第２係合部と第１,第２規制部との夫々を係合することで、前記箱状部材と金属枠部材とを位置決めし得るから両部材を固定するためのネジ止め箇所を減少することができ、取付けおよび取外しに際して効率的かつ短時間で作業を行なうことが可能となる。また、使用部品点数を減少させ得るからコストの低減を図ることができる。更にまた、前記第２係合部と第２規制部との係合により、前記上板部の前記上面から離間する方向への移動が規制されるので、簡単に前記第１係合部と第１規制部の係合状態が解除されないので、前記箱状部材と金属枠部材とを確実に組付け固定することが可能である。
【００１４】
【発明の実施の形態】
次に、本発明に係る遊技機用のドラム式図柄表示装置につき好適な実施例を挙げて、添付図面を参照しながら、以下詳細に説明する。なお、本実施例では、代表的な遊技機であるパチンコ機に取付けられるドラム式図柄表示装置に金属枠部材を取付ける場合で説明する。
【００１５】
(パチンコ機について)
先ず本実施例のドラム式図柄表示装置が取付けられるパチンコ機の概略について、図２を参照して説明する。本実施例のパチンコ機Ｐは、その基本的な概略構成として、外枠Ａの開口前面側に対して前枠Ｂが、連結支持手段および施錠手段を利用して着脱および開放可能に組付けられている。そして、前枠Ｂに横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤(図示せず)等が夫々装備されている一方、前枠Ｂ後側に所要の遊技領域Ｉを構成した遊技盤Ｊが着脱交換可能にセットされる。
【００１６】
(遊技盤について)
前記遊技盤Ｊは、図２に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述のドラム式図柄表示装置２０と、風車とも称されて遊技球用の流下方向を任意に変向する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、セーフ球を機構セット盤側に通出案内させる図示しないセーフ球案内部材が装着されている。そして、このセーフ球案内部材には、該案内部材に開設した透視窓部１５の後側に合わせてドラム式図柄表示装置(箱状部材)２０が装備セットされる。なお、符号１６はアウト口を示す。
【００１７】
前記始動入賞具１１内に配設された図示しないスイッチは、各セーフ球の検出毎にドラム式図柄表示装置２０を１回ずつ作動スタートさせるための始動入力手段として利用される。また前記入賞装置Ｌは、ドラム式図柄表示装置２０の大当り成立時に対する特別遊技状態として、開成作動条件が付与される大型の入賞装置であって、図２に示されるように、特別入賞具１７に対設された扉状の開閉板１８が、後側の電磁ソレノイドに係る設定駆動条件に基づいて、通常の閉鎖状態から開放状態に変化されるようになっている。そして、特別入賞具１７の後側内部にセーフ球用のカウントスイッチと、開放作動継続用の特別スイッチ(Ｖスイッチ)が組込まれている(何れも図示せず)。なお、入賞装置Ｌの左右両側に普通入賞具１９,１９が設けられている。
【００１８】
(ドラム式図柄表示装置について)
実施例に係るドラム式図柄表示装置２０は、図１に示すように、前方に向かって開口するドラムケース(収容箱体)３０と、該ドラムケース３０の前側に配設されて各図柄表示ユニット３７を透視保護し得る透視表示体２２とから箱状部材に形成され、内部に３基の図柄表示ユニット３７が縦列収容セットされる。なお、前記ドラム式図柄表示装置２０は、該装置２０の上方に配設される表示制御装置Ｓ(図５参照)から発生する制御出力に基づいて、前記各図柄表示ユニット３７の図柄ドラム３７ａ(後述)を設定時間条件で回転・停止して、各図柄を図示しない入賞ライン上に表示するものである。そして、前記ドラムケース３０には、該ドラムケース３０の後側を囲繞してドラムケース３０を補強すると共に、前記図柄ドラム３７ａの回転により生ずるノイズが外部に漏洩するのを抑制する略コ字状に形成された金属枠部材４１が着脱可能に取付けられる。なお、以下の説明において前,後および左,右とは、図２に示すようにパチンコ機Ｐを前記遊技盤Ｊ側から見た場合において指称するものとする。
【００１９】
(透視表示体について)
前記透視表示体２２は、図１または図３に示すように、前記ドラム式図柄表示装置２０自体の前位置決め部材としても機能するものであって、透明合成樹脂材により後側に開放する箱蓋形に形成されると共に、その中央部には、前向きの凸円弧形に膨出するレンズ兼用の透視部２３が形成されている。また透視表示体２２の左右の側縁部には、ピン孔２１ａ,２１ａを有する連結支片２１,２１が夫々形成され、各連結支片２１を介して施錠具(図示せず)により透視部２３が前記透視窓部１５に臨む状態で前記セーフ球案内部材に連結状態で施錠される。また、前記透視表示体２２の後側で前記透視部２３の下方位置には、上下方向に延在する溝部２２ｃが左右方向に離間して複数箇所(図示３箇所)形成されて、前記図柄表示ユニット３７を構成する駆動基板３８(後述)に形成される位置決め突部３８ｂと係脱可能に係合するようになっている。
【００２０】
前記透視表示体２２における上端面部(第１側面)２２ａの左右方向に離間する位置には、前記金属枠部材４１に形成される第１規制部４４(後述)と係脱可能に係合する第１係合部２４,２４が夫々形成されている。ここで、前記第１係合部２４は、前記上端面部２２ａから上方に向けて突出する一対の係合爪部２４ａ,２４ａで構成される。なお、前記各係合爪部２４ａは、前記金属枠部材４１における第１規制部４４の厚みと同程度突出するよう形成されると共に、後側に向かうにつれて前記上端面部２２ａ側に傾斜するテーパ状に形成されている。更に、透視表示体２２における前記上端面部２２ａと対向する下端面部側の所要位置には、複数(図示３つ)のボス２２ｄが形成され、各ボス２２ｄには後側に開口するネジ孔(図示せず)が穿設されている。
【００２１】
また、前記透視表示体２２の上端面部２２ａにおける左右の側端縁と連接されて該上端面部２２ａと交差し、上下に延在する左右の側面部(第３側面)２２ｂ,２２ｂの上方位置には、第２係合部を構成する前後方向に延在する第１の突状部２６ａ,２６ａが突設されて、金属枠部材４１の後述する第２規制部４６,４６と係脱可能に係合するようになっている。
【００２２】
(図柄表示ユニットについて)
前記各図柄表示ユニット３７は、図１に示すように、図柄表示体としての図柄ドラム３７ａと、矩形状の駆動基板３８と、この基板３８に配設されて図柄ドラム３７ａを回転駆動するステッピングモータ(図示せず)等からユニット化されている。また、各駆動基板３８の下方位置には前側に突出する位置決め突部３８ｂが形成されると共に、上方位置には位置決め凹部３８ａが夫々形成されており、前記位置決め突部３８ｂを前記透視表示体２２の溝部２２ｃに係合し、位置決め凹部３８ａを後述する前ケース体３５に形成される突片部３５ｅに係合することで、図柄表示ユニット３７の前側が位置決め固定されるようになっている。また、前記駆動基板３８の後方上部位置には、前記図柄ドラム３７ａの回転および停止を制御する表示制御装置Ｓと連結されるコネクタ接続口３８ｃを配設してある。
【００２３】
(ドラムケースについて)
前記ドラムケース３０は、図１または図３に示す如く、前後に連結可能な後ケース体３１および前ケース体３５とから構成される。前記後ケース体３１は、上面を画成する第１上壁部(第１側面)３１ａと、この第１上壁部３１ａにおける後側の側端縁(一側端縁)に連接されて該第１上壁部３１ａと交差して後面を画成する第１後壁部(第２側面)３１ｂと、当該第１上壁部３１ａにおける左右の側端縁に連接されて第１上壁部３１ａおよび第１後壁部３１ｂの夫々と交差して側面を画成する左右の第１側壁部(第３側面)３１ｃ,３１ｃと、当該第１上壁部３１ａに対向して第１後壁部３１ｂおよび両第１側壁部３１ｃ,３１ｃと連接して下面を画成する第１下壁部３１ｄとから、前方に開口する箱状に形成されている。なお、前記第１後壁部３１ｂは、前記第１上壁部３１ａにおける後側の側端縁に連接されて該第１上壁部３１ａに対して斜めに交差する上傾斜部と、該上傾斜部における第１上壁部３１ａに連接する端縁とは反対の端縁側に連接されて当該上傾斜部と交差し、上下方向に延在する後面部と、前記第１下壁部３１ｄにおける後側の側端縁に連接されて該第１下壁部３１ｄおよび後面部に対して斜めに交差する下傾斜部とから構成される。
【００２４】
一方、前記前ケース体３５は、上面を画成する第２上壁部(第１側面)３５ａと、この第２上壁部３５ａにおける左右の側端縁に連接されて該第２上壁部３５ａと交差して側面を画成する左右の第２側壁部(第３側面)３５ｂ,３５ｂと、当該第２上壁部３５ａと対向すると共に両第２側壁部３５ｂ,３５ｂに連接して下面を画成する第２下壁部３５ｃとから、前後方向に開口した角筒状に形成されている。なお、前記後ケース体３１の前側開口と前ケース体３５の後側開口とが整合すると共に、前ケース体３５の前側開口と、前記透視表示体２２の後面側とが整合するよう設定されている。
【００２５】
すなわち、後ケース体３１と、前ケース体３５とを連結することで、前記３基の図柄表示ユニット３７を収容セットするための前方に開放する収容室が内部画成され、この収容室の前側を前記透視表示体２２で覆うことにより、収容室内に収容セットされる図柄表示ユニット３７を透視保護するよう構成される。
【００２６】
また、前記後ケース体３１における第１後壁部３１ｂの上傾斜部には、前記透視表示体２２に形成した溝部２２ｃと整列する位置に挿通孔(図示せず)が３箇所形成されており、収容室に収容した各図柄表示ユニット３７のコネクタ接続口３８ｃを外部に挿通して、該コネクタ接続口３８ｃを外部に露出させ得るようになっている。更に、前記第１後壁部３１ｂの後面部の収容室側には、前記挿通孔と上下に整列する位置に、左右に所要間隔離間する一対のボス３１ｅ,３１ｅが３組前側に向かって突設されており、前記各図柄表示ユニット３７における駆動基板３８の後方位置を各ボス３１ｅ,３１ｅの間に挿通して位置決めし得るよう構成される。
【００２７】
前記前ケース体３５の前記左右の第２側壁部３５ｂ,３５ｂにおける第２上壁部３５ａが連接する側端縁近傍には、第２係合部を構成する第２の突状部２６ｂ,２６ｂが外側に向かって突設されており、前記金属枠部材４１の第２規制部４６,４６と係脱可能に係合するようになっている。なお、前記第２の突状部２６ｂは、前記透視表示体２２に形成した前記第１の突状部２６ａと整列する位置に形成されて、外側への突出量は同程度に設定されている。また、第２側壁部３５ｂにおける前記第２の突状部２６ｂの下方位置には、前後方向に延在すると共に前記第２規制部４６の内側に当接する突部３５ｄが形成してある。更に、前ケース体３５における第２上壁部３５ａの前記収容室側には、前記透視表示体２２に形成した各溝部２２ｃと前後に整列する位置に、前後方向に延在する突片部３５ｅが夫々形成されており、各突出部３５ｅが前記各図柄表示ユニット３７の位置決め凹部３８ａに夫々係合するようになっている。
【００２８】
(金属枠部材について)
前記金属枠部材４１は、図１または図４に示す如く、前後のケース体３１,３５における両上壁部３１ａ,３５ａおよび透視表示体２２における上端面部２２ａに対向する上板部(第１板部)４１ａと、前記第１後壁部３１ｂに対向する後板部(第２板部)４１ｂおよび、前記第１および第２下壁部３１ｄ,３５ｃに対応して幅方向に離間して形成された３枚の下板部４１ｃとを有する板枠状に形成される。そして、この金属枠部材４１は、前記両上壁部３１ａ,３５ａ、第１後壁部３１ｂおよび両下壁部３１ｄ,３５ｃに対応する上板部４１ａ、後板部４１ｂおよび下板部４１ｃを対向的に当接させることで、前記ドラムケース３０に着脱可能に被着するよう構成される。すなわち、前記ドラムケース３０は、その後側を囲繞する状態で被着された金属枠部材４１と、該ドラムケース３０の前側に位置する前記透視表示体２２とにより挟持されるようになっている。
【００２９】
前記金属枠部材４１の上板部４１ａは、略矩形状に形成されると共に、その前側端縁には左右に離間して第１規制部４４,４４が夫々形成され、前記ドラムケース３０を前記金属枠部材４１と透視表示体２２とで挟持した際に、該透視表示体２２に形成した前記各第１係合部２４と対応する第１規制部４４とが係脱可能に係合するようになっている。前記各第１規制部４４は、前記上板部４１ａの前側端縁から前方に突出する第１支持部４４ａと、該第１支持部４４ａの前端部から左右方向に延出する第１係止片４４ｂ,４４ｂとからＴ字状に形成されて、両第１係止片４４ｂ,４４ｂが前記各第１係合部２４を構成する係合爪部２４ａ,２４ａの前端に夫々係脱可能に係合し、この係合状態において前記後板部４１ｂがドラムケース３０の第１後壁部３１ｂから離間する方向(図５に示す矢線Ｘ方向)への前記金属枠部材４１の移動を規制するよう構成されている。前記各第１係止片４４ｂが各係合爪部２４ａと係合するに際し、前記第１支持部４４ａが両係合爪部２４ａ,２４ａの間に延在するよう構成されている。
【００３０】
また、前記上板部４１ａにおいて後板部４１ｂと連接する側端縁と交差している左右の両側端縁には、その前端部近傍に第２規制部４６,４６を夫々形成してある。前記各第２規制部４６は、図３に示すように、前記前ケース体３５の前記第２側壁部３５ｂと平行に下方に向かって延出する第２支持部４６ａと、該第２支持部４６ａの下方端縁から前方に延出する第２係止片４６ｂとからＬ字状に形成されている。そして、前記第２係止片４６ｂが、前記第１および第２の突状部２６ａ,２６ｂの下端に係脱可能に係合し、この係合状態において前記上板部４１ａが、前記透視表示体２２の上端面部２２ａおよび前記ドラムケース３０の第１,第２上壁部３１ａ,３５ａから離間する方向(図５に示す矢線Ｙ方向)への金属枠部材４１の移動を規制するよう構成される。また、前ケース体３５の前記第２側壁部３５ｂに形成した前記突部３５ｄの端面が、前記第２係止片４６ｂの内側(夫々が対向する面)に当接して、前ケース体３５の左右方向の移動を規制するようになっている。
【００３１】
更に、前記上板部４１ａにおける左右の両側端縁には、後端部近傍から上方に向けて、略直角に折曲された支持片４８,４８を夫々形成すると共に、この上板部４１ａの前側端縁おける略中央位置には、所要幅で上方に向けて略直角に折曲した把持部４９を形成してある。そして、前記両支持片４８,４８および把持部４９により、前記上板部４１ａに載置される前記表示制御装置Ｓを位置決めおよび支持するよう構成される。なお、前記把持部４９と上板部４１ａとの連接部位には、所要幅の開口部４９ａが形成されている。また、前記両第２規制部４６,４６から離間して形成される前記把持部４９は、該把持部４９を上方へ引っ張ることで前記上板部４１ａにおける前側端縁の略中央位置を、前記第１および第２上壁部３１ａ,３５ａから離間させるよう撓ませて、前記係合爪部２４ａと第１係止片４４ｂとの係合状態を解除させる機能を有している。
【００３２】
前記後板部４１ｂにおいて前記後ケース体３１における第１後壁部３１ｂの上傾斜面と対応する傾斜部には、該傾斜面の前記挿通孔と対応する位置に通出孔(図示せず)が夫々形成されて、前記図柄表示ユニット３７の駆動基板３８に設けたコネクタ接続口３８ｃを外部に通出し得るようになっている。更に、前記後ケース体３１における第１後壁部３１ｂの後面部と対応する後板部４１ｂの後面部には、上下方向に延在する左右の側端縁の所要位置から、規制片４１ｄ,４１ｄが前側に向かって折曲形成されており、該規制片４１ｄ,４１ｄが後ケース体３１における左右の第１側壁部３１ｃ,３１ｃに当接して左右方向の移動を規制するようになっている。
【００３３】
前記各下板部４１ｃの前端部には、下方に向けて当接片４２が略直角に折曲形成されており、各当接片４２は、前記ドラムケース３０に金属枠部材４１を被着した状態で、前記透視表示体２２に形成した前記各ボス２２ｄの後端に対応的に当接するよう設定される。また各当接片４２にはスリットが形成され、該スリットを介して当接片４２を対応するボス２２ｄにネジで螺着することで、当該金属枠部材４１の下部を透視表示体２２に固定するようになっている。
【００３４】
(表示制御装置について)
前記表示制御装置Ｓは、図５に示すように、前記図柄表示ユニット３７に関する各種電子部品を実装した表示制御基板(図示せず)を収容する箱状の基板ケース５１と、該基板ケース５１を載置する略矩形の取付ベース５４とから構成されて、両部材５１,５４は従来公知の固定手段により着脱可能に組付けられている。
【００３５】
前記取付ベース５４における前端面の略中央位置における下端縁近傍には、突出部５４ａが形成されており、前記金属枠部材４１の把持部４９における開口部４９ａに嵌合するようになっている。更に、前記取付ベース５４における左右両側端面の略中央位置に爪部５４ｂ,５４ｂが形成されており、前記上板部４１ａの支持片４８と係脱可能に係合するよう構成されている。すなわち、前記表示制御装置Ｓは、前記基板ベース５４の突出部５４ａと前記把持部４９の開口部４９ａとを嵌合すると共に、該基板ベース５４の前記爪部５４ｂ,５４ｂと前記上板部４１ａの支持片４８とを係合させた状態で前記金属枠部材４１の上側に着脱可能に位置決め載置される。
【００３６】
【実施例の作用】
次に、本実施例に係る遊技機用のドラム式図柄表示装置の作用について説明する。ドラム式図柄表示装置２０に金属枠部材４１を取付ける場合について説明する。前記後ケース体３１の第１上壁部３１ａに金属枠部材４１の上板部４１ａを、また第１後壁部３１ｂに後板部４１ｂを、更に第１下壁部３１ｄに下板部４１ｃを夫々対向的に当接させる。このとき、後ケース体３１に形成した各挿通孔と金属枠部材４１に形成した各通出孔(何れも図示せず)が夫々整列する。そして、この挿通孔および通出孔の夫々からドラムケース３０の収容室内に収容セットする図柄表示ユニット３７のコネクタ接続口３８ｃを挿通すると共に、該後ケース体３１内に突設したボス３１ｅ,３１ｅにより駆動基板３８の下方を挟持することで、該図柄表示ユニット３７の後側を位置決め固定する。更に、前ケース体３５の第２上壁部３５ａに前記上板部４１ａを、また第２下壁部３５ｃに下板部４１ｃを夫々対向的に当接させると共に、前記後ケース体３１の前側開口に前ケース体３５の後側開口を整合させることで、ドラムケース３０が組付けられる。すなわち、前記金属枠部材４１により前記ドラムケース３０の後側を囲繞するよう構成される。このとき、前ケース体３５の突片部３５ｅと前記図柄表示ユニット３７の位置決め凹部３８ａとが係合されて、前記図柄表示ユニット３７の前側上部が固定される。
【００３７】
そして、前ケース体３５の前側から透視表示体２２を近接移動させると、該透視表示体２２の上端面部２２ａに形成した各係合爪部２４ａ(第１係合部２４)の後端縁側に、前記金属枠部材４１に形成した第１係止片４４ｂ(第１規制部４４)が当接する。この状態で、前記透視表示体２２を前ケース体３５側に更に近接移動させると、テーパ状に形成した前記係合爪部２４ａ,２４ａの上面に第１係止片４４ｂ,４４ｂが乗り上げることで前記第１規制部４４の第１支持部４４ａが弾性変形して、該係合爪部２４ａに沿って前記第１係止片４４ｂが移動する。そして、前記透視表示体２２が前ケース体３５に当接した際に、前記第１係止片４４ｂが弾性復帰して両係合爪部２４ａ,２４ａの前端に第１係止片４４ｂ,４４ｂが係合する。これにより、前記金属枠部材４１の後方移動、すなわち金属枠部材４１の後板部４１ｂがドラムケース３０(ドラム式図柄表示２０)の第１後壁部３１ｂから離間する方向(図５に示す矢線Ｘ方向)へ移動するのは規制される。
【００３８】
またこのとき、前記透視表示体２２の両側面部２２ｂ,２２ｂおよび前ケース体３５に形成した第１および第２の突状部２６ａ,２６ｂの夫々の下端に、前記金属枠部材４１に形成した第２係止片４６ｂが係合する。これにより、前記金属枠部材４１の上板部４１ａが前記ドラム式図柄表示２０における上端面部２２ａおよび第１,第２上壁部３１ａ,３５ａから離間する方向(図５に示す矢線Ｙ方向)に移動するのは規制される。この状態で、前記金属枠部材４１の各下板部４１ｃに形成した各当接片４２の後側から、前記透視表示体２２に形成したボス２２ｄにネジを螺挿することにより、金属枠部材４１の下部と透視表示体２２の下部とが連結固定される。すなわち、前記ドラムケース３０を、前記金属枠部材４１と透視表示体２２とで挟持することで、ドラム式図柄表示装置２０が組付けられるようになっている。そして、このように構成されたドラム式図柄表示２０は、透視表示体２２に形成した前記各連結支片２１を介して、前記透視部２３が前記透視窓部１５に臨む状態で前記セーフ球案内部材に施錠具により連結状態で施錠されるよう構成される。
【００３９】
このように、前記透視表示体２２と金属枠部材４１とを固定する際に、上部側を第１係合部２４と第１規制部４４との係合により固定することで、ネジ止め作業を減少させることができ、作業時間の短縮を図り得ると共に、使用部品点数を削減してコストを低減させることが可能である。更に、前記第１および第２の突状部２６ａ,２６ｂ(第２係合部)と第２規制部４６との係合により、前記上板部４１ａが前記第１および第２上壁部３１ａ,３５ａから離間する方向への撓みが規制されるので、簡単に前記第１係合部２４と第１規制部４４との係合状態が解除されることはなく、前記透視表示体２２と金属枠部材４１とを確実に組付け固定することが可能である。
【００４０】
そして、前記ドラムケース３０の前側は前記透視表示体２２の裏側に当接すると共に、後側は前記金属枠部材４１に当接しているため、該ドラムケース３０が前後方向に移動することはない。また、前ケース体３５は、両側壁部３５ｂ,３５ｂに形成した突部３５ｄ,３５ｄが、前記金属枠部材４１に形成した前記第２係止片４６ｂ,４６ｂの内側に当接して、該金属枠部材４１により抱持されているので、該前ケース体３５の位置決めがなされて前ケース体３５のガタツキが防止されると共に左右方向の移動が規制され、金属枠部材４１から脱離することはない。更に、前記後ケース体３１は、第１後壁部３１ｂが前記金属枠部材４１の後板部４１ｂに形成した両規制片４１ｄ,４１ｄの内側に当接して該金属枠部材４１により抱持されているので、該後ケース体３１の位置決めがなされて後ケース体３１のガタツキが防止されると共に左右方向の移動が規制され、金属枠部材４１から脱離することはない。すなわち、前記ドラムケース３０は金属枠部材４１により常に所定位置に位置決めされ、該ケース３０内に収容セットされた図柄表示ユニット３７にガタツキ等の異常が生ずることなく、遊技を行なうことが可能である。
【００４１】
また、前記第１および第２の突状部２６ａ,２６ｂと第２規制部４６との係合により、前記上板部４１ａの上方への撓みが規制されるため、前記第１係合部２４と第１規制部４４との係合状態が簡単に解除される畏れはなく、前記透視表示体２２と金属枠部材４１との強固な固定が可能である。なお、前記係合爪部２４ａの上方への突出量を、前記第１規制部４４の厚さと同程度に設定したので、該上板部４１ａの上側に載置される表示制御装置Ｓの底面が干渉することはなく、安定して配設固定することができる。
【００４２】
次に、ドラム式図柄表示２０を金属枠部材４１から取外す場合について説明する。先ず、前記金属枠部材４１の各下板部４１ｃに形成した各当接片４２の後側から、前記透視表示体２２に形成したボス２２ｄに螺挿したネジを取外す。そして、前記上板部４１ａの前側端縁に形成した把持部４９を保持して上方に引っ張る。ここで、前記把持部４９は、前記上板部４１ａの前側端縁における略中央位置に形成されているので、該上板部４１ａの両側端部において前記第１および第２の突状部２６ａ,２６ｂと第２規制部４６との係合状態により上方移動を規制されている状態で、当該上板部４１ａにおける前側端縁の略中央位置を上方側に撓ませることができる。従って、前記上板部４１ａが第１および第２上壁部３１ａ,３５ａから離間して僅かに隙間を生じ、前記係合爪部２４ａと第１係止片４４ｂとの係合状態が解除されると共に、この状態で前記透視表示体２２の第１の突状部２６ａを前記第２係止片４６ｂに沿って前側に引き出すことで、該透視表示体２２を金属枠部材４１から取外すことができる。
【００４３】
このように、前記透視表示体２２と金属枠部材４１とを取外す際に、上部側は係合爪部２４ａと第１係止片４４ｂとの係合を解除するだけでよく、ネジを外す作業を減少させることができ、作業時間の短縮を図り得る。
【００４５】
また、第１係合部として、透視表示体の上端面から上方に突出する係合爪部を形成するようにしたが、これに限られず、係合孔等の従来公知の各種形状や構成とすればよく、金属枠部材に形成する第１規制部は、該第１係合部と係脱可能に係合する形状とすればよい。また同様に、第２係合部および第２規制部も、相互に係脱可能に係合する形状や構成とすればよい。更に、前記第１係合部は、１または３箇所以上形成してもよい。
【００４６】
前記金属枠部材の第１規制部としては、前記上板部に形成され、前記後面に後板部を当接させた際に前記第１係合部と係脱可能に係合して、該後板部が該後面から離間移動するのを規制できるものであればよく、また第２規制部としては、前記上板部に形成され、前記後面に後板部を当接させた際に前記第２係合部と係脱可能に係合して、上板面が上面から離間移動するのを規制できるよう構成すればよい。また、遊技機としてはパチンコ機に限られず、スロットマシン機やアレンジボール機であってもよい。
【００４７】
【発明の効果】
以上に説明したように、本発明に係る遊技機用のドラム式図柄表示装置においては、箱状部材に形成した第１係合部と金属枠部材に形成した第１規制部とを係合させることで、金属枠部材の後板部が箱状部材の後面から離間移動するのが規制される。また、箱状部材に形成した第２係合部と金属枠部材に形成した第２規制部とを係合させることで、金属枠部材の上板部が箱状部材の上面から離間移動するのが規制される。すなわち、前記箱状部材と金属枠部材とのネジ止め箇所を減少させ得るので、取付けおよび取外しに際して効率的かつ短時間で作業を行なうことが可能となる。
【００４８】
また、使用部品点数を減少させ得るためコストの低減を図り得る。更に、前記第２係合部と第２規制部との係合により、前記上板部の前記上面から離間する方向への移動が規制されるので、簡単に前記第１係合部と第１規制部の係合状態が解除されないので、前記箱状部材と金属枠部材とを確実に組付け固定することが可能である。更にまた、表示制御装置を位置決めおよび支持するよう構成された把持部を上方へ引っ張ることで、第１係合部と第２規制部との係合状態を解除することができる。
【図面の簡単な説明】
【図１】本発明の実施例に係るドラム式図柄表示装置を分解した状態で示す斜視図である。
【図２】実施例に係るパチンコ機を示す正面図である。
【図３】実施例に係る金属枠部材をドラムケースに組付けた状態を示す斜視図である。
【図４】実施例に係る金属枠部材を示す斜視図である。
【図５】実施例に係るドラム式図柄表示装置から表示制御装置を取外した状態を示す要部側面図である。
【符号の説明】
２０  ドラム式図柄表示装置(箱状部材)
２２  透視表示体
２２ａ  上端面部(上面)
２２ｂ  側面部(側面)
２４  第１係合部
２４ａ  係合爪部
２６ａ  第１の突状部(第２係合部)
２６ｂ  第２の突状部(第２係合部)
３０  ドラムケース(収容箱体)
３１ａ  第１上壁部(上面)
３１ｂ  第１後壁部(後面)
３１ｃ  第１側壁部(側面)
３５ａ  第２上壁部(上面)
３５ｂ  第２側壁部(側面)
３７  図柄表示ユニット
３７ａ  図柄ドラム
３８  駆動基板
４１  金属枠部材
４１ａ  上板部
４１ｂ  後板部
４４  第１規制部
４４ａ  第１支持部
４４ｂ  第１係止片
４６  第２規制部
４６ａ  第２支持部
４６ｂ  第２係止片
４９  把持部
４９ａ  開口部
５４ａ  突出部
Ｓ  表示制御装置
【図１】
0004174790.tif 000002
【図２】
0004174790.tif 000003
【図３】
0004174790.tif 000004
【図４】
0004174790.tif 000005
【図５】
0004174790.tif 000006